(57)【要約】【課題】利用者ごとの愛好曲リストに登録を促す楽曲を自動的に提示する技術を提供する。【解決手段】利用者が選定した愛好曲リストを利用者ＩＤに対応付けして記録保存しておき、指定された利用者ＩＤの愛好曲リストをパーソナル情報画面として表示するとともに、表示された愛好曲リストの中から指定された楽曲のＩＤと利用者ＩＤとを対応付けして演奏予約の待ち行列に登録するカラオケ装置のパーソナル曲目帳システムにおいて、ある１つの利用者ＩＤ（特定利用者ＩＤとする）が待ち行列に存在していた期間に待ち行列に並存していた楽曲ＩＤを特定利用者ＩＤに対応づけした集計記憶エリアに記録しておき、そこに記録された回数の多い楽曲ＩＤを適時に選出して特定利用者ＩＤ向けの前記パーソナル情報画面にその曲目を表示し、表示された曲目の中から指定された楽曲を特定利用者ＩＤに対応する愛好曲リストに追加登録する。【選択図】      図５
2004317923.tif 000002
【特許請求の範囲】
【請求項１】
利用者が選定した愛好曲リストを利用者ＩＤに対応付けして記録保存しておき、指定された利用者ＩＤの愛好曲リストをパーソナル情報画面として表示するとともに、表示された愛好曲リストの中から指定された楽曲のＩＤと利用者ＩＤとを対応付けして演奏予約の待ち行列に登録するカラオケ装置のパーソナル曲目帳システムにおいて、
ある１つの利用者ＩＤ（特定利用者ＩＤとする）が待ち行列に存在していた期間に待ち行列に並存していた楽曲ＩＤを特定利用者ＩＤに対応づけした集計記憶エリアに記録しておき、
そこに記録された回数の多い楽曲ＩＤを適時に選出して特定利用者ＩＤ向けの前記パーソナル情報画面にその曲目を表示し、表示された曲目の中から指定された楽曲を特定利用者ＩＤに対応する愛好曲リストに追加登録することを特徴とするカラオケ装置のパーソナル曲目帳システム。
【請求項２】
請求項１において、特定利用者ＩＤをともなった演奏予約曲が演奏された時点以前の所定期間に演奏された楽曲ＩＤを特定利用者ＩＤに対応付けした集計記憶エリアに記録することを特徴とするカラオケ装置のパーソナル曲目帳システム。
【発明の詳細な説明】
【０００１】
【発明が属する技術分野】
この発明は、カラオケ装置において利用者ごとの愛好曲リストを作成して利用するパーソナルカラオケ曲目帳システムに関し、とくに、愛好曲リストへの登録を促す楽曲を自動的に提示する情報処理技術に関する。
【０００２】
【発明の背景】
カラオケ装置のパーソナル曲目帳システムとは、利用者が選定した愛好曲リストを利用者ＩＤに対応付けして記録保存しておき、指定された利用者ＩＤの愛好曲リストをパーソナル情報画面に表示するとともに、表示された愛好曲リストの中から指定された楽曲のＩＤと利用者ＩＤとを対応付けして演奏予約の待ち行列に登録するシステムである。このシステムに関連した発明が、特開２００２−３２０８９号公報、特開２００２−９１４６３号公報、特開２００２−１５６９８３号公報、特開２００３−７６３８２号公報などに詳しく開示されている。
【０００３】
熱心なカラオケ愛好者といっても、それほど多くの歌を歌うわけではなく、よく歌う曲はせいぜい数十曲ほどである。そのため、パーソナル曲目帳に自分の愛好曲リストを作成しておけば、カラオケ装置への演奏予約が簡単にできて便利である。常連客を主力に営業しているカラオケバーのような店においても、常連客の愛好曲リストを作成しておけば、ママさんの接客ツールとしても便利に利用できる。
【０００４】
【特許文献１】
特開２００２−３２０８９号公報
【０００５】
【特許文献２】
特開２００２−９１４６３号公報
【０００６】
【特許文献３】
特開２００２−１５６９８３号公報
【０００７】
【特許文献４】
特開２００３−７６３８２号公報
【０００８】
【発明の開示】
本発明者らは、この便利なパーソナル曲目帳システムの利便性をさらに向上させようと考えた。そこで、ある常連客Ａがカラオケを楽しんでいる際に他の客が歌った曲を、この常連客Ａが聴いていたであろう曲目リスト（聴かされた曲目リスト）として自動的に集計しておき、客Ａが何度も聴かされた曲を客Ａのパーソナル情報画面で紹介して愛好曲リストへの登録を促すようにした。
【０００９】
この発明の基本となるのは、利用者が選定した愛好曲リストを利用者ＩＤに対応付けして記録保存しておき、指定された利用者ＩＤの愛好曲リストをパーソナル情報画面として表示するとともに、表示された愛好曲リストの中から指定された楽曲ＩＤと利用者ＩＤとを対応付けして演奏予約の待ち行列に登録するカラオケ装置のパーソナル曲目帳システムである。
【００１０】
この発明において特徴的な構成は、ある１つの利用者ＩＤ（特定利用者ＩＤとする）が待ち行列に存在していた期間に待ち行列に並存していた楽曲ＩＤを特定利用者ＩＤに対応付けした集計記憶エリアに記録しておき、そこに記録された回数の多い楽曲ＩＤを適時に選出して特定利用者ＩＤ向けの前記パーソナル情報画面にその曲目を表示し、表示された曲目の中から指定された楽曲を特定利用者ＩＤに対応する愛好曲リストに追加登録することである。
【００１１】
この構成において、望ましくは、特定利用者ＩＤをともなった演奏予約曲が演奏された時点以前の所定期間に演奏された楽曲ＩＤを特定利用者ＩＤに対応付けした集計記憶エリアに記録する。
【００１２】
【発明の実施の形態】
＝＝＝一実施例の概要＝＝＝
この発明に係るパーソナルカラオケ曲目帳システムは、たとえば、多機能カラオケリモコン装置を備えたカラオケ装置において実施される。
以下に詳述する一実施例においては、多機能カラオケリモコン装置の不揮発性メモリに多数の利用者別に愛好曲リストを作成して保存しておくことができる。保存してある愛好曲リストは、利用者の求めに応じて読み出されリモコン装置に表示される。利用者は表示された自分の愛好曲リストを見て歌う曲を選んで予約コマンドを入力すると、その曲のリクエスト信号がカラオケ装置に送信される。
【００１３】
この発明を適用することにより、利用者が在席する間に演奏された曲が、この利用者が聴かされた曲として自動的に集計され、この利用者用のパーソナル情報画面に表示される。その中から利用者が指定した曲は、この利用者の愛好曲リストに登録することができる。
これにより、聴いているうちにいつの間にか覚えかけ気になっている曲が自動的に提示されるので、気軽に歌ってみることができ、新たに愛好曲に加える際の敷居が低くなる。
【００１４】
＝＝＝カラオケ装置の構成＝＝＝
本発明は、一般的なカラオケ装置に適用される。本実施例に係るカラオケ装置のハードウェア主体の構成例を図１に示している。カラオケ装置は周知のパソコン相当のコンピュータ応用機器である。中央処理装置１１がＣＰＵ・ＲＡＭ・ＲＯＭを含むコンピュータ本体であり、大容量の外部記憶としてのハードディスク装置１２とＣＤ−ＲＯＭやＤＶＤ−ＲＯＭなどの光ディスク再生装置１３と、加入者電話回線やＩＳＤＮ電話回線を介してカラオケホスト装置と通信する通信制御装置１４と、利用者からの入力と利用者に向けての応答をやりとりする利用者インタフェース装置１５と、ＭＩＤＩ形式の音楽演奏データに基づいて伴奏音楽の音響信号を生成する音楽生成装置１６と、伴奏音楽やマイクロホンからの音響信号を増幅してスピーカから発音する音響装置１７と、ＣＲＴやＬＣＤあるいはＰＤＰなどを用いたディスプレイ１８と、このディスプレイ１８に表示すべき映像データを処理する映像処理装置１９とを備えている。
【００１５】
利用者インタフェース装置１５には、装置本体の操作パネル（キーボードとディスプレイ）やカラオケリモコン装置が含まれるとともに、後述の多機能カラオケリモコン装置が含まれ、双方向通信が可能な短距離無線通信手段（ＩｒＤＡトランシーバ・赤外線ＬＥＤ・赤外線受光素子）を備えている。利用者インタフェース装置１５から演奏予約コマンドを受信すると、含まれている楽曲ＩＤを受け取った順に演奏予約の待ち行列に登録する。演奏予約コマンドに利用者ＩＤが含まれている場合には、利用者ＩＤと楽曲ＩＤとを対応付けして登録する。
【００１６】
＝＝＝カラオケリモコン装置の構成＝＝＝
本実施例に係る多機能カラオケリモコン装置の外観を図２に、電子システム構成を図３に例示している。この多機能カラオケリモコン装置は、Ｂ５判ほどの寸法で厚みのあるパネル型のキーボードレス・コンピュータである。
外観的には装置正面の大部分が液晶表示パネル（ＬＣＤ）１ａに透明タッチセンサ１ｂを重ねた液晶タッチパネル１で占められ、内部には、ＣＰＵ・ＲＡＭ・ＲＯＭを含む中央処理装置２と、液晶表示パネル１ａを表示駆動する表示ドライバ３と、透明タッチセンサ１ｂに対する入力座標を検出する入力検出回路４と、大容量の外部記憶であるフラッシュメモリ５と、カラオケ装置と交信するための短距離無線通信手段（ＩｒＤＡトランシーバ６・赤外線ＬＥＤ７・赤外線受光素子８）と、充電ステーションと結合して充電される電源電池（図示省略）と、充電ステーションに付属のデータ通信装置を介してカラオケ装置とデータ通信する通信制御部９などが実装されている。赤外線ＬＥＤ７と赤外線受光素子８は、リモコン装置の上部中央部に配設されており、液晶タッチパネル１の上方にその指向性が向くようにレイアウトされている。
【００１７】
中央処理装置２は、楽曲索引データベースをフラッシュメモリ５に格納して管理する。楽曲索引データベースは、カラオケ装置で演奏可能な楽曲についての属性情報を記述したデータベースであり、楽曲ＩＤ（選曲番号）・曲名・アーティスト名・歌い出し部分の歌詞・流行時期・音楽ジャンル区分・使用された映画やテレビドラマのタイトル・使用されたテレビＣＭ・各種音楽賞の受賞経歴・デュエット曲か否かなど、さまざまな属性情報がこれに含まれている。多機能カラオケリモコン装置をカラオケ装置に接続されている充電ステーションに結合した状態において、中央処理装置２は通信制御部９を介してカラオケ装置とデータ通信し、楽曲索引データベースの内容を更新するようにシステム構成されている。
【００１８】
＝＝＝楽曲索引データベース検索による選曲予約＝＝＝
多機能カラオケリモコン装置の中央処理装置２は、利用客が希望の楽曲を前記楽曲索引データベースに基づいて検索するための処理を実行する。このデータベース検索処理の初期状態では、検索メニュー画面が液晶タッチパネル１に表示される。この検索メニュー画面を図４に例示した。この画面で例えば「曲名」検索ボタン２１にタッチ入力すると、５０音のカナ文字パレット画面に表示が切り替わり、その画面上でカナ文字にタッチして曲名を頭文字から順番に入力して（途中まででもよい）、検索実行ボタンにタッチ入力すると、楽曲索引データベースから該当する楽曲群が抽出されて一覧的に列挙表示される。このように複数の曲目が画面に表示され、その中から利用者が選曲して予約イベント操作をすると、短距離無線通信手段（ＩｒＤＡトランシーバ６・赤外線ＬＥＤ７・赤外線受光素子８）が近辺に存在するカラオケ装置と交信し、希望曲の識別情報を含んだ演奏予約情報がカラオケ装置に通知される。
【００１９】
＝＝＝愛好曲リスト管理機能＝＝＝
多機能カラオケリモコン装置の中央処理装置２は、フラッシュメモリ内に利用者が個別にアクセス可能な複数のメモリ領域を「Ｍｙ十八番」として管理している。各領域には、愛好曲の楽曲ＩＤが記入されたり、その記入内容をその利用者用のパーソナル情報画面に表示したり、表示した記入内容に基づいて利用者が楽曲を指定した際にはその楽曲を演奏予約する無線信号を発信する処理を行ったりして、愛好曲リスト管理機能が遂行される。
【００２０】
トップ画面（図４）において「Ｍｙ十八番」２２メニューを選択したのち、所定のユーザインタフェースに従って利用者ＩＤを入力すると、パーソナル情報画面が表示され、この利用者ＩＤに対応した利用者別の領域を作成したり更新したりすることができるように構成されている。
【００２１】
ある利用者がパーソナル情報画面に自分の利用者ＩＤに対応する「Ｍｙ十八番」領域に記入されている愛好曲リストを表示させ、リスト内の楽曲を一つ選出してそれを演奏予約する所定の操作を行うと、その楽曲を演奏予約するための無線信号がカラオケ装置に向けて発信される。その後、無線信号を発信した旨の確認画面を表示してトップ画面（図４）に戻る。
【００２２】
なお、愛好曲リストをパーソナル情報画面に表示する際には、中央処理装置１１は「Ｍｙ十八番」領域に記入された楽曲ＩＤに基づいて楽曲索引データベースを参照し、曲名やアーティスト名などの形式で曲目を表示する。
「Ｍｙ十八番」領域に愛好曲のＩＤを記入する際に、楽曲索引データベースを参照してその曲名やアーティスト名を記入しておくことも可能である。
また、利用者ＩＤの入力については、あらかじめ利用者登録をして入手しておいたりカラオケ店に来店時に振り出されたりした利用者ＩＤを入力する。ただしこれに限るものではなく、カラオケ装置やカラオケリモコン装置で採取した利用者の指紋・声紋・虹彩などの個人認証データを用いて自動認識する方式も適用可能である。
【００２３】
＝＝＝聴かされた曲目リスト管理機能＝＝＝
以下に説明する聴かされた曲目リスト管理機能は、本発明に特徴的な機能である。このカラオケ装置１１においては、ある利用者のＩＤが演奏予約の待ち行列に登録されている期間をこの利用者の在席する期間とみなし、この期間に演奏された楽曲の楽曲ＩＤをこの利用者が聴かされた曲として自動的に集計し、利用者ＩＤに対応付けた所定のメモリ領域（集計記憶エリア）に記憶しておく。そして、この利用者用のパーソナル情報画面を表示する際に、聴かされた回数の多い楽曲を聴かされた曲目リストとして表示する。この曲目リストの中から利用者がある曲目を指定する所定の操作を行なうと、指定された楽曲が「Ｍｙ十八番」に記入される。このようにして、聴かされた曲目リスト管理機能が遂行される。
【００２４】
図５に、聴かされた曲目リストの集計の処理フローを例示している。カラオケ装置の中央処理装置１１では、ある楽曲についてある利用者ａのＩＤ（特定利用者ＩＤ）を伴った演奏予約コマンドを受信すると、まず、楽曲のＩＤをこの特定利用者ＩＤと対応づけて演奏予約の待ち行列に登録する（図５のステップ５０１〜５０２）。また、これより前に待ち行列に予約曲が登録されている場合には、登録されている楽曲ＩＤについて、登録順にさかのぼって参照する（ステップ５０３〜５０４）。
【００２５】
各々の楽曲ＩＤに利用者ＩＤが対応づけられているかを確認し、利用者ＩＤが対応づけられていない場合、または対応付けられている利用者ＩＤが特定利用者ＩＤと異なる場合には、ａが聴かされた曲としてその楽曲ＩＤをリストアップする（ステップ５０５〜５０６）。
【００２６】
ａが以前に予約登録した楽曲までさかのぼると、当該楽曲はリストアップせずに、聴かされた曲のリストアップを終了する。また、同じ利用者ａによる予約曲が先に待ち行列に登録されていない場合には、待ち行列の先頭までさかのぼる（ステップ５０７）。リストアップした楽曲ＩＤはこの利用者ＩＤに対応付けした集計記憶エリアに記憶しておく。
【００２７】
このようにしてリストアップした楽曲ＩＤについて集計し、適宜な順番で並べて聴かされた曲目リストとする。このときに、同一曲目が複数回出現した場合には、その出現回数がわかるように記録する。そして、たとえば出現回数の多い順に並べた曲目リストとする。この聴かされた曲目リストを、特定利用者ＩＤと対応付けして適宜なメモリ領域に記憶しておく（ステップ５０８）。
【００２８】
同じ利用者ａが次の機会に楽曲を演奏予約して、利用者ａについて再び聴かされた曲目リストが集計された場合には、集計記憶エリアにリストアップ曲を追加し、記憶されている聴かされた曲目リストを更新する。
【００２９】
中央処理装置１１は、聴かされた曲目リストの集計後に、特定利用者ＩＤについて聴かされた曲目リストを管理している旨を、短距離無線通信手段を介して多機能カラオケリモコン装置に通知する（ステップ５０９）。通知を受けたカラオケリモコン装置の中央処理装置２は、この特定利用者ＩＤに対応づけられた「Ｍｙ十八番」領域に曲目集計フラグを立ててその旨を記入する。
【００３０】
利用者が図４に示したトップ画面の「Ｍｙ十八番」ボタン２２にタッチした後に利用者ＩＤを入力して、自分用の領域に記入されている愛好曲リストの表示を指示すると、画面はこの利用者用のパーソナル情報画面に遷移する。図６には、パーソナル情報画面に遷移した際の最初の画面を例示している。パーソナル情報画面２３へ遷移する際に、多機能カラオケリモコン装置の中央処理装置２は曲目集計フラグを確認する。その結果フラグが立ち、この利用者用に聴かされた曲目リストが集計され管理されている場合には、カラオケ装置と短距離無線通信手段を介してデータ通信し、カラオケ装置が管理している聴かされた曲目リストを取り寄せる。そして、聴かされた曲目リストの内容をパーソナル情報画面２３にリスト表示する。
【００３１】
リスト表示の形態としては、たとえば、曲目リストに記入されている全ての曲目、あるいは待ち行列への登録回数の多かった順に上位３曲というような一部の曲目を、画面２３の冒頭に表示したりダイアログメッセージなどとして表示したりする。この際には、聴かされた曲目リストの楽曲ＩＤに基づいて楽曲索引データベースを参照し、曲名やアーティスト名などをパーソナル情報画面２３に表示する。
【００３２】
表示されたリストの曲目から利用者が所定のユーザインタフェースにしたがって楽曲を指定すると、指定された楽曲は「Ｍｙ十八番」に記入され愛好曲リストに追加される。
【００３３】
このようなカラオケ装置のパーソナル曲目帳システムによれば、利用者が在席中に聴いた曲が自動的に集計され、各利用者用のパーソナル情報画面２３に表示される。何度となく聴いている楽曲はいつの間にか覚えていて、自分から積極的に楽曲を検索して歌ってみるまでに至らなくても、他から紹介されたりしてきっかけが与えられると自分でも歌ってみようという気持ちになりやすい。したがって、聴いているうちにいつの間にか覚えかけた気になる曲を探す手間が省け、気軽に歌ってみることもできるので、新たに愛好曲に加える際の敷居が低くなる。
【００３４】
なお、聴かされた曲目リストは、適宜な機会に所定の曲目を削除したり初期化したりするように構成する。たとえば、利用者のパーソナル情報画面２３に表示済みの曲目や、利用者が愛好曲リストに登録した曲目を削除する。
【００３５】
また、カラオケ装置では聴かされた曲目リストを集計したら保持せずに、多機能カラオケリモコン装置に転送して管理する方式も適用可能である。この場合には、集計記憶エリアを多機能カラオケリモコン装置の「Ｍｙ十八番」領域に含めることも可能となる。
【００３６】
リスト表示の形態は上述した形態に限るものではなく、「Ｍｙ十八番」の愛好曲リスト表示中にプルダウンメニューで表示させたり点滅表示させたりするなど、他の形態でパーソナル情報画面に表示することも可能である。
【００３７】
さらに、各楽曲について属性情報としてランキング情報などの流行情報を楽曲索引データベースに登録しておいて、聴かされた曲目リストのうち、流行っている（たとえば、ランキング上位）曲をパーソナル情報画面に表示することも可能である。こうすると、話題性のある人気楽曲を愛好曲リストに取り入れ易くなり、さらにカラオケの娯楽性が増大する。
【００３８】
＝＝＝他の実施形態＝＝＝
上述の実施例においては、ある利用者ａが演奏予約を入れてからその曲が演奏されるまでの間に演奏された曲や、利用者ａが１曲演奏予約してから次の曲を演奏予約するまでの間に演奏された曲を、この利用者ａが聴かされた曲とみなして集計する方式を採っている。
同等の機能を別の方式でも実現可能である。たとえば、演奏履歴を参照することによって、利用者ａが選曲した曲が演奏される以前の所定期間に演奏された曲や、利用者ａが選曲した曲が演奏されてから次に選曲した曲が演奏されるまでの間に演奏された曲を、この利用者ａが聴かされた曲とみなす方式を採ることも可能である。とくにこの方式によれば、演奏後の任意の時期に集計処理を行うことができるので、カラオケ装置の運用効率を考慮したうえで実施することが可能となる。
【００３９】
本発明に係るカラオケ装置のパーソナル曲目帳システムは、上述した多機能カラオケリモコン装置の具現する機能を含めてカラオケ装置本体で一体的に実現することも可能である。この場合には、楽曲索引データベースをカラオケ装置本体に構築して管理し、カラオケ装置本体のメモリ領域に利用者別の愛好曲リストを保持する。
【００４０】
上述した多機能カラオケリモコン装置を、携帯電話機やＰＤＡなど利用者が個々に所持する携帯型コンピュータ機器で具現化することも可能である。この場合には、利用者別愛好曲リストは各携帯型コンピュータ機器のメモリ領域で個々に管理され、利用者ＩＤもこのメモリ領域に保持しておくことができる。
【００４１】
あるいは、楽曲索引データベースをインターネット上で運営されるサーバーに構築し、このサーバーにインターネットに接続したカラオケ装置からアクセス可能に構成することも可能である。さらに、利用者別の聴かされた曲目リストや愛好曲リストをこのサーバーのメモリ領域に保持する構成も本発明の適用範囲内である。
【００４２】
パーソナル情報画面は、本実施例のように多機能カラオケリモコンの液晶タッチパネル１に表示する他、カラオケ装置本体に付属するディスプレイ１８に表示することも可能である。なお、このディスプレイ１８は１台に限るものではない。カラオケ楽曲の演奏中に歌詞や背景映像を表示するディスプレイ１８とは別に情報表示専用のディスプレイを付設し、これに表示することも可能であることはいうまでもない。
【００４３】
【発明の効果】
この発明にかかるカラオケ装置のパーソナル曲目帳システムによれば、在席中に聴いていたであろう曲が自動的に集計され各利用者用のパーソナル情報画面に表示されるので、聴いているうちにいつの間にか覚えかけ気になっている曲が自動的に提示されるという機会が生じ、探す手間も省けて新たに愛好曲に加える際の敷居が低くなる。そのためカラオケの娯楽性が向上し、カラオケ利用の機会が増やすことができる。
【図面の簡単な説明】
【図１】本発明の一実施例に係る通信カラオケ端末装置のハードウェア構成の概略を示した図である。
【図２】本発明の一実施例に係る多機能カラオケリモコン装置の概略外観図である。
【図３】本発明の一実施例に係る多機能カラオケリモコン装置の電子システム構成の概略を示す図である。
【図４】本発明の一実施例に係る多機能カラオケリモコン装置における選曲メニュー画面の概略図である。
【図５】本発明の一実施例に係る聴かされた曲目リストを作成する処理フロー図である。
【図６】本発明の一実施例に係るパーソナル情報画面を例示した図である。
【符号の説明】
２  多機能カラオケリモコン装置の中央処理装置
１１  通信カラオケ端末装置の中央処理装置
２２  Ｍｙ十八番（愛好曲リスト）の表示を指示するボタン
２３  パーソナル情報画面
【図１】
2004317923.tif 000003
【図２】
2004317923.tif 000004
【図３】
2004317923.tif 000005
【図４】
2004317923.tif 000006
【図５】
2004317923.tif 000007
【図６】
2004317923.tif 000008
【図７】
2004317923.tif 000009
【手続補正書】
【提出日】平成15年4月21日(2003.4.21)
【手続補正１】
【補正対象書類名】図面
【補正対象項目名】図５
【補正方法】変更
【補正の内容】
【図５】
2004317923.tif 000010
【手続補正２】
【補正対象書類名】図面
【補正対象項目名】図７
【補正方法】削除
【補正の内容】